【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
液晶ディスプレイに画像を表示させるために画像処理を実行する画像処理装置であって、
画像データを入力する入力手段と、
前記入力手段により入力された現フレームの画像データと前記現フレームの画像データよりも前に入力された過去フレームの画像データとの差に基づいて、前記現フレームの処理対象領域を特定する特定手段と、
前記特定手段により特定された前記現フレームの処理対象領域内の画素と隣接する画素との画素値の差が閾値以上であるか否かを判定する一方、前記特定手段により処理対象領域として特定されなかった前記現フレームの非処理対象領域内の画素と隣接する画素との画素値の差が前記閾値以上であるか否かを判定しない判定手段と、
前記特定手段により特定された前記現フレームの処理対象領域内の画素のうち隣接する画素との画素値の差が前記閾値以上であると判定された画素の画素値の補正量を決定する決定手段であって、前記補正によって前記隣接する画素との画素値の差が小さくなるように前記隣接する画素との画素値の差に基づいて補正量を決定する決定手段と、
前記決定手段により決定された補正量をメモリに記憶させる記憶制御手段と、
前記現フレームの処理対象領域内の画素のうち隣接する画素との画素値の差が前記閾値以上であると判定された画素の画素値を前記決定手段により決定された補正量に基づいて補正すると共に、前記現フレームの前記非処理対象領域内の画素値を、前記現フレームより前に入力された過去フレームの画素値の補正量として前記決定手段により決定され前記記憶制御手段により前記メモリに記憶された補正量に応じて補正する補正手段と、
を有することを特徴とする画像処理装置。
【請求項２】
前記特定手段は、前記現フレームの分割領域のうち、前記現フレームと前記過去フレームとで画素値が一致しない分割領域を処理対象領域として特定することを特徴とする請求項１に記載の画像処理装置。
【請求項３】
前記特定手段は、前記現フレームの分割領域のうち、前記現フレームと前記過去フレームとで画素値が異なる画素の数が閾値以上である分割領域を処理対象領域として特定することを特徴とする請求項１に記載の画像処理装置。
【請求項４】
前記現フレームの分割領域の動き量を検出する検出手段をさらに有し、
前記決定手段は、前記検出手段が検出した動き量が第１の所定の動き量未満である分割領域における画素値の補正量を、隣接する画素との画素値の差に基づいて決定する処理を実行せず、
前記補正手段は、前記検出手段が検出した動き量が前記第１の所定の動き量未満である分割領域における画素値を、前記メモリに記憶された補正量に応じて補正することを特徴とする請求項１乃至３のうち、何れか１項に記載の画像処理装置。
【請求項５】
前記現フレームの分割領域の動き量を検出する検出手段をさらに有し、
前記補正手段は、前記検出手段が検出した動き量が第２の所定の動き量以上である分割領域における画素値の補正であって、隣接する画素との画素値の差に応じた画素値の補正を行わないことを特徴とする請求項１乃至４のうち、何れか１項に記載の画像処理装置。
【請求項６】
前記現フレームの分割領域の動き量を検出する検出手段をさらに有し、
前記特定手段は、前記検出手段が検出した動き量が第１の所定の動き量以上であり且つ第２の所定の動き量未満である分割領域を前記処理対象領域として特定することを特徴とする請求項１乃至５のうち、何れか１項に記載の画像処理装置。
【請求項７】
液晶ディスプレイに画像を表示させるための画像処理方法であって、
画像データを入力する入力工程と、
前記入力工程により入力された現フレームの画像データと前記現フレームの画像データよりも前に入力された過去フレームの画像データとの差に基づいて、前記現フレームの処理対象領域を特定する特定工程と、
前記特定工程により特定された前記現フレームの処理対象領域内の隣接画素の画素値の差が閾値以上であるか否かを判定する一方、前記特定工程により処理対象領域として特定されなかった前記現フレームの非処理対象領域内の隣接画素の画素値の差が前記閾値以上であるか否かを判定しない判定工程と、
前記特定工程により特定された前記現フレームの処理対象領域内の画素のうち隣接する画素との画素値の差が前記閾値以上であると判定された画素の画素値の補正量を決定する決定工程であって、前記補正によって前記隣接する画素との画素値の差が小さくなるように前記隣接する画素との画素値の差に基づいて補正量を決定する決定工程と、
前記決定工程により決定された補正量と、前記補正量に対応する画素の位置とを対応付けてメモリに記憶させる記憶制御工程と、
前記現フレームの処理対象領域内の画素のうち隣接する画素との画素値の差が前記閾値以上であると判定された画素の画素値を前記決定工程により決定された補正量に基づいて補正すると共に、前記現フレームの前記非処理対象領域内の画素値を、前記現フレームより前に入力された過去フレームの画素の補正量として前記決定工程により決定され前記記憶制御工程により前記メモリに記憶された補正量に応じて補正する補正工程と、
を有することを特徴とする画像処理方法。
【請求項８】
前記特定工程は、前記現フレームの分割領域のうち、前記現フレームと前記過去フレームとで画素値が一致しない分割領域を処理対象領域として特定することを特徴とする請求項７に記載の画像処理方法。
【請求項９】
前記特定工程は、前記現フレームの分割領域のうち、前記現フレームと前記過去フレームとで画素値が異なる画素の数が閾値以上である分割を処理対象領域として特定することを特徴とする請求項７に記載の画像処理方法。
【手続補正２】
【補正対象書類名】明細書
【補正対象項目名】発明の名称
【補正方法】変更
【補正の内容】
【発明の名称】画像処理装置、および画像処理方法
【手続補正３】
【補正対象書類名】明細書
【補正対象項目名】０００１
【補正方法】変更
【補正の内容】
【０００１】
本発明は、画像処理装置、および画像処理方法に関するものである。例えば、液晶プロジェクタ等のマトリクス方式の表示パネルを持つ表示装置の画像処理技術に係り、特に隣接画素間の電位差が大きい場合に発生するディスクリネーションの発生を抑制する画像処理技術に関する。
【手続補正４】
【補正対象書類名】明細書
【補正対象項目名】０００８
【補正方法】変更
【補正の内容】
【０００８】
上記の目的を達成する本発明の一つの側面に係る画像処理装置は、液晶ディスプレイに画像を表示させるために画像処理を実行する画像処理装置であって、
画像データを入力する入力手段と、
前記入力手段により入力された現フレームの画像データと前記現フレームの画像データよりも前に入力された過去フレームの画像データとの差に基づいて、前記現フレームの処理対象領域を特定する特定手段と、
前記特定手段により特定された前記現フレームの処理対象領域内の画素と隣接する画素との画素値の差が閾値以上であるか否かを判定する一方、前記特定手段により処理対象領域として特定されなかった前記現フレームの非処理対象領域内の画素と隣接する画素との画素値の差が前記閾値以上であるか否かを判定しない判定手段と、
前記特定手段により特定された前記現フレームの処理対象領域内の画素のうち隣接する画素との画素値の差が前記閾値以上であると判定された画素の画素値の補正量を決定する決定手段であって、前記補正によって前記隣接する画素との画素値の差が小さくなるように前記隣接する画素との画素値の差に基づいて補正量を決定する決定手段と、
前記決定手段により決定された補正量をメモリに記憶させる記憶制御手段と、
前記現フレームの処理対象領域内の画素のうち隣接する画素との画素値の差が前記閾値以上であると判定された画素の画素値を前記決定手段により決定された補正量に基づいて補正すると共に、前記現フレームの前記非処理対象領域内の画素値を、前記現フレームより前に入力された過去フレームの画素値の補正量として前記決定手段により決定され前記記憶制御手段により前記メモリに記憶された補正量に応じて補正する補正手段と、を有することを特徴とする。